(57)【特許請求の範囲】
【請求項１】
管理装置と、前記管理装置と通信可能な端末装置と、情報コードを生成可能な情報コード生成装置とを備えた資産管理システムであって、
前記管理装置は、
管理対象物を登録する管理対象物登録手段と、
前記管理対象物が配置可能となる複数のロケーションを登録するロケーション登録手段と、
前記管理対象物登録手段によって登録される前記管理対象物を、前記ロケーション登録手段によって登録される複数の前記ロケーションのいずれかと対応付けて登録する配置位置登録手段と、
を備え、
前記情報コード生成装置には、
前記ロケーション登録手段に登録される複数の前記ロケーションに基づいて、各ロケーションの情報を記録したロケーション記録コードをそれぞれ生成するロケーション記録コード生成手段と、
前記管理対象物登録手段に登録される前記管理対象物に基づいて、当該管理対象物の情報を記録した管理対象物記録コードを生成する管理対象物記録コード生成手段と、
が設けられ、
前記ロケーション記録コード生成手段によって生成された前記ロケーション記録コードが、当該ロケーション記録コードの記録内容で特定される前記ロケーションに対応付けて表示可能とされ、
前記管理対象物記録コード生成手段によって生成された前記管理対象物記録コードが、当該管理対象物記録コードの記録内容で特定される前記管理対象物に対応付けて表示可能とされており、
前記端末装置は、
前記ロケーション記録コード及び前記管理対象物記録コードを画像として読取可能に構成され、前記ロケーション記録コードを１つずつ読み取るコード読取手段と、
前記コード読取手段により前記管理対象物記録コードと前記ロケーション記録コードとが所定の対応時期に読み取られた場合に前記管理対象物記録コードに記録される前記管理対象物の情報と前記ロケーション記録コードに記録される前記ロケーションの情報とを対応付けた対応情報を前記管理装置に送信する対応情報送信手段と、
を有し、
前記管理装置の前記配置位置登録手段は、前記対応情報送信手段から送信された前記対応情報に含まれる前記管理対象物及び前記ロケーションに基づいて、当該管理対象物が配置される前記ロケーションを登録する構成であり、
前記対応情報送信手段は、前記コード読取手段によっていずれか一のロケーション記録コードが読み取られ、その後、前記コード読取手段によって次のロケーション記録コードが読み取られた場合、それら２つの前記ロケーション記録コードの読み取りの間に前記コード読取手段によって読み取られた１又は複数の前記管理対象物記録コードの前記管理対象物の情報を、前記一のロケーション記録コードの読取結果又は前記次のロケーション記録コードの読取結果と対応付けて前記管理装置に送信することを特徴とする資産管理システム。
【請求項２】
前記端末装置は、前記対応情報送信手段によって前記対応情報を送信した後、前記管理対象物の前記管理対象物記録コードが前記コード読取手段によって読み取られた場合に報知を行う報知手段を有することを特徴とする請求項１に記載の資産管理システム。
【請求項３】
前記端末装置は、作業者の固有ＩＤを取得する固有ＩＤ取得手段を備え、
前記対応情報送信手段は、前記固有ＩＤ取得手段によって前記固有ＩＤが取得され、前記コード読取手段により前記管理対象物記録コードと前記ロケーション記録コードとが前記所定の対応時期に読み取られたときに、前記対応情報と前記固有ＩＤとを前記管理装置に送信することを特徴とする請求項１又は請求項２に記載の資産管理システム。
【請求項４】
前記端末装置は、
所定の移動開始情報を入力する移動開始情報入力手段と、
前記移動開始情報入力手段による前記移動開始情報の入力後において、前記固有ＩＤ取得手段により前記固有ＩＤが読み取られ且つ前記情報コード読取手段により移動対象の前記管理対象物に付された前記管理対象物記録コードが読み取られたときに、前記管理対象物記録コードに記録される前記管理対象物の情報を一時的に記録する記憶手段と、
所定の設置開始情報を入力する設置開始情報入力手段と、
を備え、
前記対応情報送信手段は、前記設置開始情報入力手段による前記設置開始情報の入力後において、前記固有ＩＤ取得手段により前記固有ＩＤが読み取られ且つ前記情報コード読取手段により前記管理対象物記録コード及び前記ロケーション記録コードが読み取られたときに、その読み取られた前記管理対象物記録コードに記録される前記管理対象物の情報と前記記憶手段に記憶される前記管理対象物の情報とが対応する場合に、前記所定の設置開始情報の入力後に得られた前記対応情報を前記管理装置に送信することを特徴とする請求項３に記載の資産管理システム。
【請求項５】
前記管理装置は、前記対応情報送信手段によって前記対応情報が送信された場合に、当該対応情報に含まれる前記管理対象物と前記ロケーションとの対応関係を、前記配置位置登録手段に登録されている当該管理対象物の対応関係と比較し、両対応関係に差異がある場合に通知を行う通知手段を有することを特徴とする請求項１から請求項３のいずれか一項に記載の資産管理システム。
【請求項６】
前記端末装置は、所定の棚卸開始情報を入力する棚卸開始情報入力手段を備え、
前記管理装置の前記通知手段は、前記棚卸開始情報入力手段によって前記所定の棚卸開始情報が入力された場合において前記両対応関係に差異がある場合に前記通知を行うことを特徴とする請求項５に記載の資産管理システム。
【発明の詳細な説明】
【技術分野】
【０００１】
本発明は、資産管理システムに関するものである。
【背景技術】
【０００２】
企業や官公庁などでは、所有する資産を台帳やデータベースなどによって管理している。このような資産管理を行う場合、例えば、資産購入時に資産毎に管理番号を付与すると共に担当部署を割り当て、これらの情報をコンピュータなどに記憶しておくといった方法が一般的に用いられている。
【先行技術文献】
【特許文献】
【０００３】
【特許文献１】特開２００４−３０２７８１公報
【発明の概要】
【発明が解決しようとする課題】
【０００４】
しかしながら、従来の方法は、オペレータなどがコンピュータにてキー入力作業を行い、資産の情報をデータ化していたため、これらの作業に多大な労力を要するといった問題があった。また、資産の実際の配置場所とデータ入力場所が異なるため、データ入力時に目視して確認することができず、資産の配置場所の入力や確認を効率的に行うことができないといった問題もあった。
【０００５】
一方、このような問題に関連する技術として、例えば特許文献１のような技術が提供されている。この技術では、物品配置の候補となる各位置の情報をバーコード化して表わしており、作業者が物品を配置しようとする位置に対応するバーコードを選び出し、これを読み取ることにより配置位置の情報を取得できるようになっている。しかしながら、この方法では、データベースに登録される膨大な位置情報の中から所望の位置を探し出さなければならず、位置情報の紐付けを効率的に行うことが難しいといった問題がある。また、紙面上に多数形成されるバーコードからいずれかを選択して読み取る必要があるため、誤ったバーコードを読み取ってしまう虞もある。
【０００６】
本発明は、上述した課題を解決するためになされたものであり、管理対象物（資産）とその配置場所をより正確に対応付けてデータベース化することができ、その登録作業、確認作業を極めて容易に行うことができる資産管理システムを提供することを目的とする。
【課題を解決するための手段】
【０００７】
請求項１の発明は、管理装置と、前記管理装置と通信可能な端末装置と、情報コードを生成可能な情報コード生成装置とを備えた資産管理システムであって、
前記管理装置は、管理対象物を登録する管理対象物登録手段と、前記管理対象物が配置可能となる複数のロケーションを登録するロケーション登録手段と、前記管理対象物登録手段によって登録される前記管理対象物を、前記ロケーション登録手段によって登録される複数の前記ロケーションのいずれかと対応付けて登録する配置位置登録手段と、を備えている。
前記情報コード生成装置には、前記ロケーション登録手段に登録される複数の前記ロケーションに基づいて、各ロケーションの情報を記録したロケーション記録コードをそれぞれ生成するロケーション記録コード生成手段と、前記管理対象物登録手段に登録される前記管理対象物に基づいて、当該管理対象物の情報を記録した管理対象物記録コードを生成する管理対象物記録コード生成手段と、が設けられている。
そして、前記ロケーション記録コード生成手段によって生成された前記ロケーション記録コードが、当該ロケーション記録コードの記録内容で特定される前記ロケーションに対応付けて表示可能とされ、前記管理対象物記録コード生成手段によって生成された前記管理対象物記録コードが、当該管理対象物記録コードの記録内容で特定される前記管理対象物に対応付けて表示可能とされている。
更に、前記端末装置は、前記ロケーション記録コード及び前記管理対象物記録コードを画像として読取可能に構成され、前記ロケーション記録コードを１つずつ読み取るコード読取手段と、前記コード読取手段により前記管理対象物記録コードと前記ロケーション記録コードとが所定の対応時期に読み取られた場合に前記管理対象物記録コードに記録される前記管理対象物の情報と前記ロケーション記録コードに記録される前記ロケーションの情報とを対応付けた対応情報を前記管理装置に送信する対応情報送信手段と、を有している。
そして、前記管理装置の前記配置位置登録手段は、前記対応情報送信手段から送信された前記対応情報に含まれる前記管理対象物及び前記ロケーションに基づいて、当該管理対象物が配置される前記ロケーションを登録している。
【０００９】
更に、前記対応情報送信手段は、前記コード読取手段によっていずれか一のロケーション記録コードが読み取られ、その後、前記コード読取手段によって次のロケーション記録コードが読み取られた場合、それら２つの前記ロケーション記録コードの読み取りの間に前記コード読取手段によって読み取られた１又は複数の前記管理対象物記録コードの前記管理対象物の情報を、前記一のロケーション記録コードの読取結果又は前記次のロケーション記録コードの読取結果と対応付けて前記管理装置に送信することを特徴としている。
【００１０】
請求項２の発明は、前記端末装置は、前記対応情報送信手段によって前記対応情報を送信した後、前記管理対象物の前記管理対象物記録コードが前記コード読取手段によって読み取られた場合に報知を行う報知手段を有することを特徴としている。
【００１１】
請求項３の発明は、前記端末装置は、作業者の固有ＩＤを取得する固有ＩＤ取得手段を備え、前記対応情報送信手段は、前記固有ＩＤ取得手段によって前記固有ＩＤが取得され、前記コード読取手段により前記管理対象物記録コードと前記ロケーション記録コードとが前記所定の対応時期に読み取られたときに、前記対応情報と前記固有ＩＤとを前記管理装置に送信することを特徴とする。
【００１２】
請求項４の発明は、前記端末装置は、所定の移動開始情報を入力する移動開始情報入力手段と、前記移動開始情報入力手段による前記移動開始情報の入力後において、前記固有ＩＤ取得手段により前記固有ＩＤが読み取られ且つ前記情報コード読取手段により移動対象の前記管理対象物に付された前記管理対象物記録コードが読み取られたときに、前記管理対象物記録コードに記録される前記管理対象物の情報を一時的に記録する記憶手段と、所定の設置開始情報を入力する設置開始情報入力手段と、を備え、前記対応情報送信手段は、前記設置開始情報入力手段による前記設置開始情報の入力後において、前記固有ＩＤ取得手段により前記固有ＩＤが読み取られ且つ前記情報コード読取手段により前記管理対象物記録コード及び前記ロケーション記録コードが読み取られたときに、その読み取られた前記管理対象物記録コードに記録される前記管理対象物の情報と前記記憶手段に記憶される前記管理対象物の情報とが対応する場合に、前記所定の設置開始情報の入力後に得られた前記対応情報を前記管理装置に送信することを特徴としている。
【００１３】
請求項５の発明は、前記管理装置は、前記対応情報送信手段によって前記対応情報が送信された場合に、当該対応情報に含まれる前記管理対象物と前記ロケーションとの対応関係を、前記配置位置登録手段に登録されている当該管理対象物の対応関係と比較し、両対応関係に差異がある場合に通知を行う通知手段を有することを特徴とする。
【００１４】
請求項６の発明は、前記端末装置は、所定の棚卸開始情報を入力する棚卸開始情報入力手段を備え、前記管理装置の前記通知手段は、前記棚卸開始情報入力手段によって前記所定の棚卸開始情報が入力された場合において前記両対応関係に差異がある場合に前記通知を行うことを特徴とする。
【発明の効果】
【００１５】
請求項１の発明では、管理装置において、管理対象物を登録する管理対象物登録手段と、管理対象物が配置可能となる複数のロケーションを登録するロケーション登録手段と、管理対象物登録手段によって登録される管理対象物を、ロケーション登録手段によって登録される複数のロケーションのいずれかと対応付けて登録する配置位置登録手段とが設けられている。更に、情報コード生成装置には、ロケーション登録手段に登録される複数のロケーションに基づいて、各ロケーションの情報を記録したロケーション記録コードをそれぞれ生成するロケーション記録コード生成手段と、管理対象物登録手段に登録される管理対象物に基づいて、当該管理対象物の情報を記録した管理対象物記録コードを生成する管理対象物記録コード生成手段とが設けられている。
そして、ロケーション記録コード生成手段によって生成されたロケーション記録コードが、当該ロケーション記録コードの記録内容で特定されるロケーションに対応付けて表示可能とされ、管理対象物記録コード生成手段によって生成された管理対象物記録コードが、当該管理対象物記録コードの記録内容で特定される管理対象物に対応付けて表示可能とされている。
更に、端末装置は、ロケーション記録コード及び管理対象物記録コードを読取可能なコード読取手段と、コード読取手段により管理対象物記録コードとロケーション記録コードとが所定の対応時期に読み取られた場合に管理対象物記録コードに記録される管理対象物の情報とロケーション記録コードに記録されるロケーションの情報とを対応付けた対応情報を管理装置に送信する対応情報送信手段とを有している。
そして、管理装置の配置位置登録手段は、対応情報送信手段から送信された対応情報に含まれる管理対象物及びロケーションに基づいて、当該管理対象物が配置されるロケーションを登録している。
このような構成とすると、管理しようとする管理対象物（資産）の具体的情報を管理対象物記録コードを読み取って入力できると共に、その配置場所（ロケーション）に付されたロケーション記録コードを読み取って入力することができ、管理対象物の情報入力及びその管理対象物の配置場所（ロケーション）の情報入力を容易に且つ正確に行うことができる。特に、管理対象物の現物（管理対象物そのもの）に付された情報コード（管理対象物記録コード）と、実際の配置場所に付された情報コード（ロケーション記録コード）とを読み取って登録情報を入力することができるため、登録作業、確認作業を極めて容易に行うことができると共に、入力すべき管理対象物や入力すべき配置場所（ロケーション）或いはそれらの対応付けを間違えにくくなり、管理対象物の配置場所（ロケーション）をより正確に登録することができる。
【００１７】
また、コード読取手段によっていずれか一のロケーション記録コードが読み取られ、その後、コード読取手段によって次のロケーション記録コードが読み取られた場合、それら２つのロケーション記録コードの読み取りの間にコード読取手段によって読み取られた１又は複数の管理対象物記録コードの管理対象物の情報を、一のロケーション記録コードの読取結果又は次のロケーション記録コードの読取結果と対応付けて管理装置に送信している。このようにすると、複数の管理対象物記録コードの読み取りを、ロケーション記録コードの読み取りを区切りとして一括化することができるため、同一のロケーションにある複数の管理対象物の情報を簡単な操作で一括化することができる。また、ロケーション記録コードの読み取りを配置情報（ロケーション）の入力のみならず、一括化の操作も兼ねることができ、操作時間や操作数の削減をも図ることができる。
【００１８】
請求項２の発明では、端末装置において、対応情報送信手段によって対応情報を送信した後、管理対象物の管理対象物記録コードがコード読取手段によって読み取られた場合に報知を行う報知手段が設けられている。このようにすると、読み取りの順序間違えなどの場合にユーザに知らせることができ、ユーザが適切な対処を取りやすくなる。
【００１９】
請求項３の発明は、端末装置において、作業者の固有ＩＤを取得する固有ＩＤ取得手段が設けられており、対応情報送信手段は、固有ＩＤ取得手段によって固有ＩＤが取得され、コード読取手段により管理対象物記録コードとロケーション記録コードとが所定の対応時期に読み取られたときに、対応情報と固有ＩＤとを管理装置に送信するように構成されている。
このようにすると、管理対象物の配置情報（ロケーション）の登録を行った作業者を管理装置側で把握できるようになり、より管理を厳格に行うことができる。
【００２０】
請求項４の発明は、端末装置において、所定の移動開始情報を入力する移動開始情報入力手段と、移動開始情報入力手段による移動開始情報の入力後において、固有ＩＤ取得手段により固有ＩＤが読み取られ且つ情報コード読取手段により移動対象の管理対象物に付された管理対象物記録コードが読み取られたときに、管理対象物記録コードに記録される管理対象物の情報を一時的に記録する記憶手段と、所定の設置開始情報を入力する設置開始情報入力手段とが設けられ、対応情報送信手段は、設置開始情報入力手段による設置開始情報の入力後において、固有ＩＤ取得手段により固有ＩＤが読み取られ且つ情報コード読取手段により管理対象物記録コード及びロケーション記録コードが読み取られたときに、その読み取られた管理対象物記録コードに記録される管理対象物の情報と記憶手段に記憶される管理対象物の情報とが対応する場合に、所定の設置開始情報の入力後に得られた対応情報を管理装置に送信している。
このようにすると、管理対象物を移動させる場合に、管理対象物と対応付けて移動先のロケーションを容易に登録することができ、特に、移動対象となる管理対象物がどのロケーションからどのロケーションへと変更されたかを正確に特定できるようになる。また、このような移動作業が誰によって行われたかを管理装置側で正確に把握できるようになる。
【００２１】
請求項５の発明では、管理装置において、対応情報送信手段によって対応情報が送信された場合に、当該対応情報に含まれる管理対象物とロケーションとの対応関係を、配置位置登録手段に登録されている当該管理対象物の対応関係と比較し、両対応関係に差異がある場合に通知を行う通知手段が設けられている。
このようにすると、管理対象物の配置情報（ロケーション）が前回の登録から変更されたことを管理装置側で容易に且つ正確に把握することができるため、管理装置側で適切な対処を取りやすくなり、セキュリティ面でも有利となる。
【００２２】
請求項６の発明は、端末装置において、所定の棚卸開始情報を入力する棚卸開始情報入力手段が設けられており、管理装置の通知手段は、棚卸開始情報入力手段によって所定の棚卸開始情報が入力された場合において前記両対応関係に差異がある場合に通知を行うように構成されている。このようにすると、ユーザが棚卸しをしようとする場合に通知を行うことができ、通知処理を通知が必要な時期に限定することができる。
【図面の簡単な説明】
【００２３】
【図１】図１は、本発明の第１実施形態に係る資産管理システムを概念的に説明する説明図である。
【図２】図２は、図１の資産管理システムに用いられる端末装置の電気的構成を概略的に例示するブロック図である。
【図３】図３は、管理装置の電気的構成を例示するブロック図である。
【図４】図４は、管理対象物を配置する管理エリア内における各ロケーションの割り振り例を示す説明図である。
【図５】図５（Ａ）は、ロケーションに関する登録データ(基本データ)を概念的に説明する説明図であり、図５（Ｂ）は、管理対象物に関する登録データ(基本データ)を概念的に説明する説明図である。
【図６】図６（Ａ）は、ロケーション記録コードの発行処理を例示するフローチャートである。図６（Ｂ）は、管理対象物記録コードの発行処理を例示するフローチャートである。
【図７】図７（Ａ）は、図６（Ａ）の処理で発行されたロケーション記録コードを概略的に説明する説明図であり、図７（Ｂ）は、図６（Ｂ）の処理で発行された管理対象物記録コードを概略的に説明する説明図である。
【図８】図８は、端末装置で行われる管理対象物の新規ロケーション登録処理を例示するフローチャートである。
【図９】図９は、端末装置で行われる管理対象物の移動登録処理の流れを例示するフローチャートである。
【図１０】図１０は、端末装置で行われる管理対象物の棚卸処理の流れを例示するフローチャートである。
【図１１】図１１は、管理装置で行われる登録処理の流れを例示するフローチャートである。
【図１２】図１２（Ａ）は、図８の新規ロケーション登録処理で送信される対応情報を概念的に例示する説明図であり、図１２（Ｂ）は、その対応情報を反映した後の管理装置の登録データを概念的に説明する説明図である。
【図１３】図１３（Ａ）は、図９の移動登録処理で送信される対応情報を概念的に例示する説明図であり、図１３（Ｂ）は、その対応情報を反映した後の管理装置の登録データを概念的に説明する説明図である。
【図１４】図１４（Ａ）は、図１０の棚卸処理で送信される対応情報を概念的に例示する説明図であり、図１４（Ｂ）は、その対応情報を反映した後の管理装置の登録データを概念的に説明する説明図である。
【発明を実施するための形態】
【００２４】
[第１実施形態]
以下、本発明の資産管理システムを具現化した第１実施形態について、図面を参照して説明する。
【００２５】
（資産管理システムの全体構成）
以下、図１〜図３等を参照して資産管理システム１の全体構成を概説する。
図１は、本発明の第１実施形態に係る資産管理システムを概念的に説明する説明図である。図２は、図１の資産管理システムに用いられる端末装置の電気的構成を概略的に例示するブロック図である。図３は、管理装置の電気的構成を例示するブロック図である。
【００２６】
資産管理システム１は、企業や官公庁などの資産を当該資産の配置場所（ロケーション）と対応付けて管理するシステムとして構成されており、主として、管理装置８０と、管理装置８０と通信可能な端末装置２とによって構成されており、管理装置８０が、情報コードを生成可能な情報コード生成装置としても兼用されている。
【００２７】
まず、端末装置２について説明する。
端末装置２は、一次元コード、二次元コード等の情報コードを読み取る携帯型のコードリーダとして構成されており、ケースによって外郭が構成され、このケース内に各種電子部品が収容された構成をなしている。この端末装置２は、図２に示すように、主に、照明光源２１、受光センサ２３、フィルタ２５、結像レンズ２７等の光学系と、メモリ３５、制御回路４０、操作キー４２、液晶表示器４６等のマイクロコンピュータ（以下「マイコン」という）系と、電源スイッチ４１、電池４９等の電源系と、から構成されている。なお、これらは、図略のプリント配線板に実装或いはケース内に内装されている。
【００２８】
光学系は、照明光源２１、受光センサ２３、フィルタ２５、結像レンズ２７等から構成されている。照明光源２１は、照明光Ｌｆを発光可能な照明光源として機能するもので、例えば、赤色のＬＥＤとこのＬＥＤの出射側に設けられる拡散レンズ、集光レンズ等とから構成されている。本実施形態では、受光センサ２３を挟んだ両側に照明光源２１が設けられており、ケースに形成された読取口（図示略）を介して読取対象物Ｒに向けて照明光Ｌｆを照射可能に構成されている。この読取対象物Ｒとしては、例えば、紙、樹脂材料、金属材料等の様々な対象が考えられ、このような読取対象物Ｒに情報コードＱ（例えば、後述する管理対象物記録コードＣ２、ロケーション記録コードＣ１など）が印刷などによって形成されている。
【００２９】
受光センサ２３は、読取対象物Ｒや情報コードＱに照射されて反射した反射光Ｌｒを受光可能に構成されるもので、例えば、Ｃ−ＭＯＳやＣＣＤ等の固体撮像素子である受光素子を二次元に配列したエリアセンサが、これに相当する。この受光センサ２３は、結像レンズ２７を介して入射する入射光を受光面２３ａで受光可能に図略のプリント配線板に実装されている。
【００３０】
フィルタ２５は、反射光Ｌｒの波長相当以下の光の通過を許容し、当該波長相当を超える光の通過を遮断し得る光学的なローパスフィルタで、ケースに形成された読取口（図示略）と結像レンズ２７との間に設けられている。また、結像レンズ２７は、例えば、鏡筒とこの鏡筒内に収容される複数の集光レンズとによって構成されており、本実施形態では、ケースに形成された読取口（図示略）に入射する反射光Ｌｒを集光し、受光センサ２３の受光面２３ａに情報コードＱのコード画像を結像するように構成されている。
【００３１】
マイコン系は、増幅回路３１、Ａ／Ｄ変換回路３３、メモリ３５、アドレス発生回路３６、同期信号発生回路３８、制御回路４０、操作キー４２、ＬＥＤ４３、ブザー４４、液晶表示器４６、無線通信部４８等から構成されている。このマイコン系は、マイコン（情報処理装置）として機能し得る制御回路４０及びメモリ３５を中心として構成され、前述した光学系によって撮像された情報コードＱの画像信号をハードウェア的及びソフトウェア的に信号処理し得るものである。
【００３２】
光学系の受光センサ２３から出力される画像信号（アナログ信号）は、増幅回路３１に入力されて所定ゲインで増幅された後、Ａ／Ｄ変換回路３３に入力され、アナログ信号からディジタル信号に変換される。そして、ディジタル化された画像信号、つまり画像データ（画像情報）は、メモリ３５に入力され、当該メモリ３５の画像データ蓄積領域に蓄積される。なお、同期信号発生回路３８は、受光センサ２３及びアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００３３】
メモリ３５は、例えばＲＯＭ、ＲＡＭ、不揮発性メモリなどの半導体メモリ装置からなり、このうちのＲＡＭには、前述した画像データ蓄積領域のほかに、制御回路４０が算術演算や論理演算等の各処理時に利用する作業領域なども確保可能に構成されている。またＲＯＭや不揮発性メモリなどには、後述する読取処理等を実行可能な所定プログラム、照明光源２１、受光センサ２３等の各ハードウェアを制御可能なシステムプログラム、その他、様々なアプリケーションプログラムなどが記憶可能とされている。
【００３４】
制御回路４０は、端末装置２全体を制御可能なマイコンで、ＣＰＵ、システムバス、入出力インタフェース等からなるものであり、情報処理機能を有している。この制御回路４０には、内蔵された入出力インタフェースを介して種々の入出力装置（周辺装置）が接続されており、本実施形態の場合、電源スイッチ４１、操作キー４２、ＬＥＤ４３、ブザー４４、液晶表示器４６、無線通信部４８等が接続されている。
【００３５】
無線通信部４８には、公知の無線ＬＡＮ規格などによって定められた方式に従って無線通信を行う無線ＬＡＮインタフェースとして構成されており、ＬＡＮに接続されている外部装置（例えば後述の管理装置８０など）と無線通信を行うように機能している。
【００３６】
電源系は、電源スイッチ４１、電池４９等により構成されており、制御回路４０により管理される電源スイッチ４１のオンオフによって、電池４９からの駆動電圧の供給や遮断が制御されている。なお、電池４９は、所定の直流電圧を発生可能な２次電池で、例えば、リチウムイオン電池等がこれに相当する。
【００３７】
次に、管理装置８０について説明する。
管理装置８０は、パーソナルコンピュータなどによって構成されており、図３に示すように、ＣＰＵ８１、入力部８２、表示部８３、通信部８４、記憶部８５、印刷部８６などを備えている。
【００３８】
ＣＰＵ８１は、管理装置８０の全体的制御を司るもので、各種情報処理を行うように構成されている。また、入力部８２は、マウスやキーボードなどの入力デバイスによって構成されており、外部操作に応じた情報をＣＰＵ８１に与える構成をなしている。表示部８３は、液晶モニタ等によって構成されており、ＣＰＵ８１の制御に応じて各種情報を表示する構成をなしている。
【００３９】
また、通信部８４は、例えば複数種類の通信インタフェースによって構成されている。本実施形態では、少なくとも端末装置２と無線ＬＡＮ通信を行うための無線ＬＡＮインタフェースを備え、公知の無線ＬＡＮ規格などによって定められた方式に従って、直接又はアクセスポイントを介して間接的に端末装置２と無線通信を行うように構成されている。
【００４０】
記憶部８５は、ＲＯＭ、ＲＡＭ、ＨＤＤなどの記憶手段によって構成されており、各種情報を記憶可能とされている。この記憶部８５には、後述する各管理対象物の登録データ（各管理対象物の内容とロケーションとを対応付けた管理対象物毎のデータ）がデータベース化されて登録されている。
【００４１】
印刷部８６は、公知のプリンタ(公知のラベルプリンタ等)として構成されており、ＣＰＵ８１の指令に応じて各種データを印刷するように構成されている。具体的には、後述する管理対象物記録コードＣ２と記録したラベル（管理対象物ラベル）やロケーション記録コードＣ１を記録したラベル（ロケーションラベル）などを印刷可能とされている。
【００４２】
（管理対象物の登録）
次に、資産管理システム１で行われる管理対象物の登録について説明する。
図４は、管理対象物を配置する管理エリア内における各ロケーションの割り振り例を示す説明図である。図５（Ａ）は、ロケーションに関する登録データを概念的に説明する説明図であり、図５（Ｂ）は、管理対象物に関する登録データを概念的に説明する説明図である。
【００４３】
１．管理対象物、ロケーションの登録
本実施形態では、図４に示すように、資産管理システム１で管理しようとする対象場所を複数のエリアに予め区分けしており、各エリアのロケーションを特定する情報を割り振っている。そして、各ロケーションに関するデータが図５（Ａ）のように管理装置８０の記憶部８５にデータベースとして登録されている。図５（Ａ）の例では、ロケーション毎に、ロケーション番号とロケーションの具体的情報とが対応付けられて登録されており、当該データベースを検索することで、登録されているロケーションやそのロケーションに割り振られた番号を特定できるようになっている。なお、このようなロケーション番号やロケーションの情報の登録は、例えば入力作業者が図４のように定められた情報に基づいて管理装置８０の入力部８２を操作することで行うことができる。
【００４４】
また、図５（Ｂ）のように、管理しようとする資産（管理対象物）の情報も管理装置８０の記憶部８５に登録されている。図５（Ｂ）の例では、各資産（管理対象物）毎に、管理番号、管理対象物名、取得年月日などが対応付けられて登録されており、当該データベースを検索することで、登録されている管理対象物やその管理対象物に割り振られた管理番号を特定できるようになっている。なお、このような管理番号や管理対象物の名称の登録は、例えば入力作業者が管理対象物の取得時などに管理装置８０の入力部８２を操作することで行うことができる。
【００４５】
なお、本実施形態では、管理装置８０の記憶部８５が、「管理対象物登録手段」の一例に相当し、管理対象物９０を登録するように機能する。また、記憶部８５は、「ロケーション登録手段」の一例に相当し、管理対象物９０が配置可能となる複数のロケーションを登録するように機能する。
【００４６】
２．情報コードの発行
次に、情報コードの発行について説明する。
図６（Ａ）は、ロケーション記録コードの発行処理を例示するフローチャートである。図６（Ｂ）は、管理対象物記録コードの発行処理を例示するフローチャートである。図７（Ａ）は、図６（Ａ）の処理で発行されたロケーション記録コードを概略的に説明する説明図であり、図７（Ｂ）は、図６（Ｂ）の処理で発行された管理対象物記録コードを概略的に説明する説明図である。
【００４７】
本実施形態に係る資産管理システム１では、上記のようにロケーションや管理対象物が登録された上で、ロケーション記録コードや管理対象物記録コードが発行されるようになっている。ロケーション記録コードは、例えば管理装置８０において図６（Ａ）のような処理が行われることで生成・発行されるようになっている。この処理は、例えば、管理装置８０において所定操作（例えば、ロケーション記録コードの作成プログラムの起動操作）が行われることで開始され、まず、ロケーションの指定があったか否かが判断される（Ｓ１）。
【００４８】
例えば管理装置８０の入力部８２が操作されてロケーションを指定する入力があった場合には、その指定されたロケーションのデータが図５（Ａ）のような登録情報から読み出される（Ｓ２）。そして、その読み出された登録情報をデータ領域に記録した情報コード（例えばＱＲコード）が生成され（Ｓ３）、その生成された情報コードがラベルに印刷される（Ｓ４）。
【００４９】
このようにして、図７（Ａ）のようなラベルＬＢ１が発行される。このラベルＬＢ１には、Ｓ２で読み出されたロケーションに関するデータ（ロケーション番号やロケーション情報）が記録されたロケーション記録コードＣ１が印刷され、更に、Ｓ２で読み出された情報（ロケーション番号やロケーション情報）も併記されるようになっている。このようなラベルＬＢ１は、ロケーション毎に作成することができ、作成された各ラベルＬＢ１は、図１のように当該ラベルで表わされるロケーションに配置される（例えば壁などに貼り付けられる）。これにより、Ｓ３で生成されたロケーション記録コードＣ１が、当該ロケーション記録コードＣ１の記録内容で特定されるロケーションに対応付けて表示されることとなる。
【００５０】
なお、本実施形態では、管理装置８０が「情報コード生成装置」の一例に相当する。また、Ｓ３の処理を実行する管理装置８０のＣＰＵ８１は、ロケーション記録コード生成手段の一例に相当し、ロケーション登録手段に登録される複数のロケーションに基づいて、各ロケーションの情報を記録したロケーション記録コードＣ１をそれぞれ生成するように機能する。
【００５１】
また、管理対象物記録コードは、管理装置８０において図６（Ｂ）のような処理が行われることで生成されるようになっている。この処理は、例えば、管理装置８０において所定操作（例えば、管理対象物記録コードの作成プログラムの起動操作）が行われることで開始され、まず、管理対象物（資産）の指定があったか否かが判断される（Ｓ１０）。例えば、入力部８２が操作されて管理対象物を指定する入力があった場合には、その指定された管理対象物のデータが図５（Ｂ）のような登録情報から読み出される（Ｓ１１）。そして、その読み出された登録情報がデータ領域に記録された情報コード（例えばＱＲコード）が生成され（Ｓ１２）、その生成された情報コードがラベルに印刷される（Ｓ１３）。
【００５２】
このようにして、図７（Ｂ）のようなラベルＬＢ２が発行される。このラベルＬＢ２には、Ｓ１１で読み出された管理対象物に関するデータ（管理対象物名（資産名）、管理番号、取得年月日など）が記録された管理対象物記録コードＣ２が印刷され、更に、Ｓ１１で読み出された情報（管理対象物名（資産名）、管理番号、取得年月日など）も併記されるようになっている。このようなラベルは、各管理対象物毎に作成することができ、作成された各ラベルは、当該ラベルで表わされる管理対象物に貼り付けられる。これにより、Ｓ１２で生成された管理対象物記録コードＣ２が、当該管理対象物記録コードＣ２の記録内容で特定される管理対象物に対応付けて表示されることとなる。
【００５３】
なお、本実施形態では、管理装置８０のＣＰＵ８１が「管理対象物記録コード生成手段」の一例に相当し、管理対象物登録手段に登録される管理対象物に基づいて、当該管理対象物の情報を記録した管理対象物記録コードＣ２を生成するように機能する。
【００５４】
３．管理対象物の新規ロケーション登録
次に、端末装置２で行われる新規ロケーション登録処理について説明する。
図８は、端末装置２で行われる新規ロケーション登録処理を例示するフローチャートである。図８の新規ロケーション登録処理は、例えば端末装置２において所定操作（例えば、新規ロケーション登録を指示する所定操作）がなされたときに開始され、まず、固有ＩＤの読み取りが行われる（Ｓ２０）。この固有ＩＤの読取処理は、図８の処理を行おうとうする作業者を特定する情報を入力する処理であり、例えば、社員証などの身分証明証に予め社員番号などを記録した情報コード（ＱＲコード等）が付される場合（即ち、当該資産管理システム１が、このような身分証明証を用いる企業、官公庁で用いられる場合）、身分証明証などに記録された情報コードが読み取られることで入力がなされる。なお、このような入力方法に限られるものではなく、例えば、社員番号などを直接テンキーなどによって入力してもよい。
【００５５】
Ｓ２０の後には、ロケーション記録コードＣ１の読み取りが行われる（Ｓ２１）。Ｓ２１の処理は、作業者が端末装置２を操作して管理対象物（資産）を配置する場所のロケーション記録コードＣ１を読み取る操作を行ったときに実行され、当該ロケーション記録コードＣ１に記録された情報が端末装置２に入力される。例えば、図１のような固定棚の下段に新規の管理対象物９０’を配置しようとする場合、作業者が端末装置２によってこの下段に付されたロケーション記録コードＣ１’を読み取ったときに、この位置のロケーションの情報が端末装置２に入力されることとなる。なお、図７（Ａ）では、このような下段に付されるラベルＬＢ１を例示している。
【００５６】
Ｓ２１の後には、管理対象物記録コードＣ２の読み取りが行われる（Ｓ２２）。Ｓ２２の処理は、作業者が端末装置２を操作して新規登録しようとする管理対象物（資産）に付された管理対象物記録コードＣ２を読み取る操作を行ったときに実行され、当該管理対象物記録コードＣ２に記録された情報が端末装置２に入力される。例えば、図１のような固定棚の下段に新規の管理対象物９０’を配置しようとする場合、作業者が端末装置２によってこの新規の管理対象物９０’に付された管理対象物記録コードＣ２’を読み取ったときに、この管理対象物の情報が端末装置２に入力されることとなる。
【００５７】
Ｓ２２の後には、他の管理対象物記録コードを読み取るか否かの判断処理が行われる。本実施形態では、所定の終了条件が予め定められており、この終了条件が成立する場合には他の管理対象物記録コードを読み取らないと判断されてＳ２３にてＮｏとなり、この終了条件が成立する場合には他の管理対象物記録コードを読み取ると判断されてＳ２３にてＹｅｓとなる。Ｓ２３にてＹｅｓとなる間（すなわち、所定の終了条件が成立するまでの間）は、新規の管理対象物に付された管理対象物記録コードＣ２が読み取られる毎にＳ２２の処理が行われる。そして、その所定の終了条件が成立するまでに読み取られた管理対象物記録コードＣ２の読取結果は、所定の終了条件が成立した後（即ち、Ｓ２３にてＹｅｓとなった後）に、Ｓ２１で読み取られたロケーション記録コードＣ１と対応付けられて一括して管理装置に送信される（Ｓ２４）。なお、Ｓ２４で送信される情報には、新規登録であることを示す特定情報が含まれるようになっている。
【００５８】
「所定の終了条件」としては、所定の操作がなされること（例えば所定のボタンが押されること）であってもよく、Ｓ２１で読み取られたロケーション記録コードＣ１とは異なる他のロケーション記録コードＣ１が読み取られることであってもよい。ここで、他のロケーション記録コードＣ１が読み取られることを「所定の終了条件」とする場合を代表例として更に具体的に説明すると、例えば、上述したようにＳ２２にて新規の管理対象物９０’のロケーション記録コードＣ１’が読み取られ、その後、他のロケーション記録コードＣ１が読み取られずに別の新規管理対象物９０”に付された管理対象物記録コードＣ２”が読み取られるような場合、まずＳ２３でＹｅｓと判断されてその後のＳ２２にて当該読取処理（管理対象物記録コードＣ２”の読取処理）が行われることになる。そして、その後、他のロケーション記録コードＣ１が読み取られたときに、Ｓ２３でＮｏとなり、これらの読取結果（管理対象物記録コードＣ２’Ｃ２”の読取結果）が、Ｓ２１で読み取られたロケーション記録コードＣ１’と対応付けられてまとめて管理装置８０に送信されることとなる。
【００５９】
本実施形態では、端末装置２の制御回路４０が「コード読取手段」の一例に相当し、ロケーション記録コードＣ１及び管理対象物記録コードＣ２を読み取るように機能する。また、Ｓ２４の処理を実行する制御回路４０が、「対応情報送信手段」の一例に相当し、コード読取手段により管理対象物記録コードＣ２とロケーション記録コードＣ１とが所定の対応時期（例えば、当該ロケーション記録コードＣ１が読み取られてから他のロケーション記録コードＣ１が読み取られるまでの時期）に読み取られた場合に管理対象物記録コードＣ２に記録される管理対象物９０の情報とロケーション記録コードＣ１に記録されるロケーションの情報とを対応付けた対応情報を管理装置８０に送信するように機能している。具体的には、Ｓ２１〜Ｓ２４に示すように、対応情報送信手段として機能する制御回路４０は、所定の終了条件が成立するまで（例えば、Ｓ２１でロケーション記録コードＣ１が読み取られた後に他のロケーション記録コードＣ１が読み取られるまで）の間にコード読取手段によって複数の管理対象物記録コードＣ２が連続して読み取られ、その連続した読み取りの前にロケーション記録コードＣ１が読み取られている場合に、それら複数の管理対象物記録コードＣ２に記録される複数の管理対象物９０の情報を、ロケーション記録コードＣ１に記録されるロケーションの情報と対応付けて管理装置８０に送信するように機能している。
【００６０】
また、上記代表例では、対応情報送信手段として機能する制御回路４０は、Ｓ２１にていずれかのロケーション記録コードＣ１（一のロケーション記録コード）がコード読取手段により読み取られ、その後、当該コード読取手段によって次のロケーション記録コードＣ１が読み取られた場合、この「次のロケーション記録コードＣ１が読み取られること」を上記「所定の終了条件」としてＳ２３でＮｏと判断されるようになっており、それら２つのロケーション記録コードＣ１の読み取りの間にコード読取手段によって読み取られた１又は複数の管理対象物記録コードＣ２に記録される管理対象物９０の情報を、Ｓ２１で読み取られたロケーション記録コードＣ１（一のロケーション記録コード）の読取結果と対応付けて管理装置８０に送信するように機能している。
【００６１】
Ｓ２４で送信された読取結果は、管理装置８０において受信されるようになっている。この管理装置８０では、例えば図１１のような流れで端末装置２からの情報が取得され、登録処理が行われるようになっている。
【００６２】
図１１の登録処理は、管理装置８０において、例えば所定の短時間毎或いは端末装置２からアクセスがあった毎に実行されるようになっており、まず、端末装置２からデータが受信されたか否かが判断される（Ｓ５０）。そして、端末装置２からのデータが受信された場合には、Ｓ５０でＹｅｓとなり、新規登録に係るデータであるか否かが判断される（Ｓ５１）。上述したように、図８の新規登録処理においてＳ２４で送信されるデータには、新規登録であることを示す特定情報が含まれているため、Ｓ５１では、受信したデータにこのような特定情報が含まれているか否かが判断される。このような特定情報が含まれている場合（即ち、図８の新規登録処理によって送信されたデータである場合）には、Ｓ５１にてＹｅｓとなり、受信データを新規に登録する処理が行われる。なお、Ｓ５１にてＮｏとなる場合については後述する。
【００６３】
例えば、図８の処理で、図１の管理対象物９０’、９０”を新規の管理対象物として各管理対象物記録コードＣ２’、Ｃ２”が読み取られ、図８のＳ２４にて図１２（Ａ）のようなデータ（各管理対象物のデータに対して各ロケーションのデータを対応付けたデータ）が送信された場合、Ｓ５２ではこのように送信されたデータを図１２（Ｂ）の太線枠のように新たに登録する。これにより、Ｓ２４で送信されたデータが、管理装置８０内のデータベースに登録されることとなる。図１２（Ａ）では、新規の登録対象となる管理対象物毎に、管理対象物の管理番号、管理対象物名、取得年月日、ロケーション番号、ロケーション情報、新規登録を行った登録者が対応付けられており、これらの情報が図１２（Ｂ）のように登録されるようになっている。
【００６４】
なお、本実施形態では、記憶部８５が「配置位置登録手段」の一例に相当し、管理対象物登録手段によって登録される管理対象物９０を、ロケーション登録手段によって登録される複数のロケーションのいずれかと対応付けて登録するように機能し、より詳しくは、対応情報送信手段から送信された対応情報（図８のＳ２４で送信される情報等）に含まれる管理対象物及びロケーションの情報に基づいて、当該管理対象物９０が配置されるロケーションを登録するように機能する。
【００６５】
また、Ｓ２０の処理を実行する制御回路４０は「固有ＩＤ取得手段」の一例に相当し、作業者の固有ＩＤを取得するように機能する。そして、「対応情報送信手段」に相当する制御回路４０は、固有ＩＤ取得手段によって固有ＩＤが取得され、且つコード読取手段により管理対象物記録コードＣ２とロケーション記録コードＣ１とが所定の対応時期（上記所定の終了条件が成立するまでの間であり、例えば、Ｓ２１でロケーション記録コードＣ１が読み取られた後の他のロケーション記録コードＣ１の読み取り時までの間）に読み取られたときに、対応情報と固有ＩＤとを管理装置８０に送信するように機能する。
【００６６】
４．管理対象物の移動設定
次に、管理対象物の移動登録について説明する。図９は、管理対象物の移動登録処理の流れを例示するフローチャートである。図９の処理は、例えば端末装置２にて所定操作（移動登録処理を指示する操作等）が行われたときに実行され、移動設定の発生中を示す情報（フラグ等）がメモリ３５に記憶される。そして、移動設定を行う作業者の固有ＩＤの読み取りが行われる（Ｓ３１）。なお、このＳ３１の処理は、図８のＳ２０と同様に行うことができる。
【００６７】
そして、Ｓ３１の後には、移動しようとする管理対象物９０に付された管理対象物記録コードＣ２を読み取る。Ｓ３２の処理は、例えば作業者が端末装置２を操作して移動対象となる管理対象物９０に付された管理対象物記録コードＣ２の読み取り操作を行ったときに実行され、この管理対象物記録コードの記録内容が取得される。
【００６８】
Ｓ３２の後には、設置設定の指示がなされたか否かの判断処理が行われる（Ｓ３３）。このＳ３３の判断処理では、作業者が操作キー４２などを操作して設置設定の指示を入力した場合にはＹｅｓと判断され、このような指示がない限りはＮｏと判断されることとなる。例えば、作業者が移動対象となる管理対象物９０を所望の配置エリアに運び、その場所において端末装置２に対して設置設定の指示を与えたときにはＳ３３にてＹｅｓと判断されるため、その場所（移動後の場所）においてＳ３４以降の処理を行うことができるようになる。
【００６９】
Ｓ３３でＹｅｓと判断される場合には、固有ＩＤの読取処理が行われる（Ｓ３４）。このＳ３４の処理は、図８のＳ２０或いは図９のＳ３１と同様に行うことができる。その後、移動対象となる管理対象物（Ｓ３２で管理対象物記録コードＣ２を読み取った管理対象物）の新たな移動先（新たなロケーション）のロケーション記録コードが読み取られる（Ｓ３５）。このＳ３５の処理は、作業者が新たなロケーションのロケーション記録コードＣ１を読み取る操作を行うことで実行され、Ｓ２１（図８）と同様に行われる。
【００７０】
そして、Ｓ３５の後には、その移動された管理対象物９０に付された管理対象物記録コードＣ２（Ｓ３２で読み取られた管理対象物記録コードＣ２）が再び読み取られる（Ｓ３６）。このＳ３６の処理は、作業者が新たなロケーションに移された管理対象物９０の管理対象物記録コードＣ２を読み取る操作を行うことで実行され、Ｓ２２（図８）やＳ３２（図９）と同様に行われる。
【００７１】
Ｓ３６の処理の後には、Ｓ３５、Ｓ３６での読取結果が管理装置８０に送信される（Ｓ３７）。このＳ３７で送信されるデータは、例えば図１３（Ａ）のように移動された管理対象物のデータに対して新たなロケーションのデータを対応付けたデータとして構成される。図１３（Ａ）では、移動登録対象となる管理対象物の、管理番号、管理対象物名、取得年月日、新たなロケーション番号、新たなロケーション情報、移動日時、移動登録を行った移動者が対応付けられている。また、このＳ３７で送信される情報には、移動登録である旨の情報も含まれるようになっている。
【００７２】
なお、図９では、具体的に図示はしていないが、Ｓ３２で読み取られた管理対象物記録コードＣ２とＳ３６で読み取られた管理対象物記録コードＣ２とが一致しない場合には、Ｓ３７の送信処理は行わず、この場合にはエラー情報を表示することとなる。
【００７３】
管理装置８０では、Ｓ３７からの情報を受信したとき、Ｓ５０でＹｅｓ、Ｓ５１でＮｏと判断された後、Ｓ５３でＹｅｓと判断され、Ｓ５４にて受信データの移動登録が行われることになる。この処理では、例えば図１３（Ａ）のように受信したデータを、図１３（Ｂ）の太線枠のように登録する。これにより、Ｓ３７で送信されたデータに基づいて管理装置８０内のデータベースが更新されることとなる。なお、図１３（Ｂ）の例は、図１２（Ｂ）のような状態から、図１３（Ａ）のような移動登録データを反映した場合を示しており、移動対象となった管理対象物（ＮＴＰ００１のノートパソコン１）についてのロケーション番号及びロケーションが更新され、更に、移動日時と移動者のデータが付されるようになっている。なお、図１３のように、移動登録によって更新された部分の表示を他の部分と異ならせて分かりやすく表示してもよく、このような表示を行わなくてもよい。
【００７４】
本実施形態では、図９の処理のトリガとなる操作キー４２が「移動開始情報入力手段」の一例に相当する。また、メモリ３５は「記憶手段」の一例に相当し、移動開始情報入力手段による移動開始情報の入力後において、固有ＩＤ取得手段により固有ＩＤが読み取られ且つ情報コード読取手段により移動対象の管理対象物９０に付された管理対象物記録コードＣ２が読み取られたときに、管理対象物記録コードＣ２に記録される管理対象物９０の情報を一時的に記録するように機能する。
【００７５】
また、Ｓ３３のトリガとなる操作キー４２が「設置開始情報入力手段」の一例に相当し、所定の設置開始情報（上記の例では設置設定指示）を入力するように機能する。また、対応情報送信手段に相当する制御回路４０は、設置開始情報入力手段による設置開始情報の入力後（Ｓ３３でＹｅｓとなった後）において、固有ＩＤ取得手段により固有ＩＤが読み取られ且つ情報コード読取手段により管理対象物記録コードＣ２及びロケーション記録コードＣ１が読み取られたときに、その読み取られた管理対象物記録コードＣ２に記録される管理対象物９０の情報と記憶手段に記憶される管理対象物９０の情報とが対応する場合（具体的には一致関係にある場合）に、所定の設置開始情報の入力後に得られた対応情報を管理装置８０に送信するように機能する。
【００７６】
５．管理対象物の棚卸
次に、管理対象物の棚卸について説明する。図１０は、管理対象物の棚卸処理の流れを例示するフローチャートである。図１０の処理は、例えば端末装置２にて所定操作（棚卸登録処理を指示する操作等）が行われたときに実行され、棚卸設定の発生中を示す情報（フラグ等）がメモリ３５に記憶される（Ｓ４０）。そして、棚卸設定を行う作業者の固有ＩＤの読み取りが行われる（Ｓ４１）。なお、このＳ４１の処理は、図８のＳ２０、図９のＳ３１と同様に行うことができる。
【００７７】
そして、Ｓ４１の後には、棚卸の対象となる配置エリアのロケーション記録コードが読み取られる（Ｓ４２）。このＳ４２の処理は、作業者が棚卸対象となるロケーションに付されたロケーション記録コードＣ１を読み取る操作を行うことで実行され、Ｓ２１（図８）と同様に行われる。例えば、図１の棚の下段が棚卸対象である場合には、この下段に付されたロケーション記録コードＣ１’が読み取られることとなる。
【００７８】
Ｓ４２の後には、棚卸対象となるロケーションに配置された管理対象物９０の管理対象物記録コードが読み取られる（Ｓ４３）。このＳ４３の処理は、作業者が棚卸対象の管理対象物９０の管理対象物記録コードＣ２を読み取る操作を行うことで実行され、Ｓ２２（図８）やＳ３２（図９）と同様に行われる。このような管理対象物記録コードＣ２の読み取りは、所定の終了条件が成立するまで（例えば、所定の終了操作がなされるまで、或いはＳ４２で読み取られたもの以外の他のロケーション記録コードが読み取られるまで）繰り返され、上記終了条件が成立するまでの間に複数の管理対象物記録コードＣ２が読み取られる場合にはその複数の読取結果が取得される。
【００７９】
そして、所定の終了条件が成立した場合（即ち、他の管理対象物記録コードを読み取らない場合）にはＳ４４でＮｏと判断され、Ｓ４２、Ｓ４３での読取結果の送信が行われる（Ｓ４５）。このＳ４５で送信されるデータは、例えば図１４（Ａ）のように、図１０の棚卸処理で読み取られた各管理対象物のデータ及びロケーションのデータを対応付けたデータとして構成される。図１４（Ａ）では、棚卸対象となる管理対象物の、管理番号、管理対象物名、取得年月日、棚卸場所のロケーション番号、棚卸場所のロケーション情報、棚卸日時、棚卸登録を行った棚卸者が対応付けられている。また、このＳ４５で送信される情報には、棚卸登録である旨の情報も含まれるようになっている。
【００８０】
管理装置８０では、Ｓ４５からの情報を受信したとき、Ｓ５０でＹｅｓ、Ｓ５１でＮｏ、Ｓ５３でＮｏと判断された後、Ｓ５５でＹｅｓと判断され、Ｓ５６にて登録情報との比較結果を判断する判断処理が行われる。Ｓ５６の処理では、図１４（Ａ）のように取得された棚卸データと、管理装置８０に既に登録されている登録データとが比較され、棚卸データが登録データと異なっているか否か（具体的には棚卸された管理対象物のロケーション番号及びロケーション情報が登録データと異なっているか否か）が判断される。登録情報と一致している場合には、Ｓ５７にてＮｏとなり当該処理を終了する。なお、Ｓ５７でＮｏとなる場合には棚卸日時のデータや棚卸者のデータを登録データに追加してもよい。
【００８１】
一方、棚卸データが登録データと異なっている場合には、Ｓ５７にてＹｅｓとなり所定の通知処理を行う。この通知処理は表示部８３による所定情報の表示やスピーカなどによる鳴動などが挙げられる。例えば、棚卸前に図１２（Ｂ）のような登録データが格納されており、新たに図１４（Ａ）のような棚卸データが送信されてきた場合、ＮＴＰ００４のノートパソコン４のロケーションが登録データと異なっていることが判明する。このような場合には、図１４（Ｂ）のように棚卸情報を反映して登録データを更新すると共に、その更新の際に、その異なっている管理対象物（図１４（Ｂ）ではＮＴＰ００４のノートパソコン４）の部分を他の部分と異ならせるように表示するとよい。
【００８２】
なお、本実施形態では、Ｓ５７、Ｓ５８の処理を行うＣＰＵ８１及び表示部８３が「通知手段」の一例に相当し、対応情報送信手段によって対応情報が送信された場合に、当該対応情報に含まれる管理対象物９０とロケーションとの対応関係を、配置位置登録手段に登録されている当該管理対象物９０の対応関係と比較し、両対応関係に差異がある場合に通知を行うように機能する。
【００８３】
また、端末装置２の操作キー４２は「棚卸開始情報入力手段」の一例に相当し、外部操作に応じて所定の棚卸開始情報を入力するように機能する。そして、管理装置８０における上記「通知手段」は、棚卸開始情報入力手段によって所定の棚卸開始情報が入力された場合において両対応関係に差異がある場合に通知を行うように機能する。
【００８４】
（第１実施形態の主な効果）
第１実施形態に係る資産管理システム１では、管理装置８０において、管理対象物９０を登録する管理対象物登録手段と、管理対象物９０が配置可能となる複数のロケーションを登録するロケーション登録手段と、管理対象物登録手段によって登録される管理対象物９０を、ロケーション登録手段によって登録される複数のロケーションのいずれかと対応付けて登録する配置位置登録手段とが設けられている。更に、情報コード生成装置には、ロケーション登録手段に登録される複数のロケーションに基づいて、各ロケーションの情報を記録したロケーション記録コードＣ１をそれぞれ生成するロケーション記録コード生成手段と、管理対象物登録手段に登録される管理対象物９０に基づいて、当該管理対象物９０の情報を記録した管理対象物記録コードＣ２を生成する管理対象物記録コード生成手段とが設けられている。
そして、ロケーション記録コード生成手段によって生成されたロケーション記録コードＣ１が、当該ロケーション記録コードＣ１の記録内容で特定されるロケーションに対応付けて表示可能とされ、管理対象物記録コード生成手段によって生成された管理対象物記録コードＣ２が、当該管理対象物記録コードＣ２の記録内容で特定される管理対象物９０に対応付けて表示可能とされている。
更に、端末装置２は、ロケーション記録コードＣ１及び管理対象物記録コードＣ２を読取可能なコード読取手段と、コード読取手段により管理対象物記録コードＣ２とロケーション記録コードＣ１とが所定の対応時期に読み取られた場合に管理対象物記録コードＣ２に記録される管理対象物９０の情報とロケーション記録コードＣ１に記録されるロケーションの情報とを対応付けた対応情報を管理装置８０に送信する対応情報送信手段とを有している。
そして、管理装置８０の配置位置登録手段は、対応情報送信手段から送信された対応情報に含まれる管理対象物及びロケーションの情報に基づいて、当該管理対象物９０が配置されるロケーションを登録している。
このような構成とすると、管理しようとする管理対象物９０（資産）の具体的情報を管理対象物記録コードＣ２を読み取って入力できると共に、その配置場所（ロケーション）に付されたロケーション記録コードＣ１を読み取って入力することができ、管理理対象物の情報入力及びその管理対象物９０の配置場所（ロケーション）の情報入力を容易に且つ正確に行うことができる。特に、管理対象物９０の現物（管理対象物９０そのもの）に付された情報コード（管理対象物記録コードＣ２）と、実際の配置場所に付された情報コード（ロケーション記録コードＣ１）とを読み取って登録情報を入力することができるため、登録作業、確認作業を極めて容易に行うことができると共に、入力すべき管理対象物９０や入力すべき配置場所（ロケーション）或いはそれらの対応付けを間違えにくくなり、管理対象物９０の配置場所（ロケーション）をより正確に登録することができる。
【００８５】
また、本実施形態では、所定の終了条件が成立するまでの間にコード読取手段によって複数の管理対象物記録コードＣ２が連続して読み取られ、その連続した読み取りの前又は後にロケーション記録コードＣ１が読み取られた場合に、対応情報送信手段が、それら複数の管理対象物記録コードＣ２に記録される複数の管理対象物９０の情報を、ロケーション記録コードＣ１に記録されるロケーションの情報と対応付けて管理装置８０に送信している。このようにすると、同じ配置場所に存在する複数の管理対象物９０の配置場所（ロケーション）を一括して登録することができ、その登録作業に際して複雑な操作を要求することもない。従って、登録作業の容易化、迅速化を一層図ることができ、ユーザの利便性を更に向上することができる。
【００８６】
また、本実施形態では、コード読取手段によっていずれか一のロケーション記録コードＣ１が読み取られ、その後、コード読取手段によって次のロケーション記録コードＣ１が読み取られた場合、それら２つのロケーション記録コードＣ１の読み取りの間にコード読取手段によって読み取られた１又は複数の管理対象物記録コードＣ２の管理対象物９０の情報を、一のロケーション記録コードＣ１の読取結果又は次のロケーション記録コードＣ１の読取結果と対応付けて管理装置８０に送信している。このようにすると、複数の管理対象物記録コードＣ２の読み取りを、ロケーション記録コードＣ１の読み取りを区切りとして一括化することができるため、同一のロケーションにある複数の管理対象物９０の情報を簡単な操作で一括化することができる。また、ロケーション記録コードＣ１の読み取りを配置情報（ロケーション）の入力のみならず、一括化の操作も兼ねることができ、操作時間や操作数の削減をも図ることができる。
【００８７】
また、本実施形態では、端末装置２において、作業者の固有ＩＤを取得する固有ＩＤ取得手段が設けられており、対応情報送信手段は、固有ＩＤ取得手段によって固有ＩＤが取得され、コード読取手段により管理対象物記録コードＣ２とロケーション記録コードＣ１とが所定の対応時期に読み取られたときに、対応情報と固有ＩＤとを管理装置８０に送信するように構成されている。
このようにすると、管理対象物９０の配置情報（ロケーション）の登録を行った作業者を管理装置８０側で把握できるようになり、より管理を厳格に行うことができる。
【００８８】
また、本実施形態では、端末装置２において、所定の移動開始情報を入力する移動開始情報入力手段と、移動開始情報入力手段による移動開始情報の入力後において、固有ＩＤ取得手段により固有ＩＤが読み取られ且つ情報コード読取手段により移動対象の管理対象物９０に付された管理対象物記録コードＣ２が読み取られたときに、管理対象物記録コードＣ２に記録される管理対象物９０の情報を一時的に記録する記憶手段と、所定の設置開始情報を入力する設置開始情報入力手段とが設けられ、対応情報送信手段は、設置開始情報入力手段による設置開始情報の入力後において、固有ＩＤ取得手段により固有ＩＤが読み取られ且つ情報コード読取手段により管理対象物記録コードＣ２及びロケーション記録コードＣ１が読み取られたときに、その読み取られた管理対象物記録コードＣ２に記録される管理対象物９０の情報と記憶手段に記憶される管理対象物９０の情報とが対応する場合に、所定の設置開始情報の入力後に得られた対応情報を管理装置８０に送信している。
このようにすると、管理対象物９０を移動させる場合に、管理対象物９０と対応付けて移動先のロケーションを容易に登録することができ、特に、移動対象となる管理対象物９０がどのロケーションからどのロケーションへと変更されたかを正確に特定できるようになる。また、このような移動作業が誰によって行われたかを管理装置８０側で正確に把握できるようになる。
【００８９】
また、本実施形態では、管理装置８０において、対応情報送信手段によって対応情報が送信された場合に、当該対応情報に含まれる管理対象物９０とロケーションとの対応関係を、配置位置登録手段に登録されている当該管理対象物９０の対応関係と比較し、両対応関係に差異がある場合に通知を行う通知手段が設けられている。
このようにすると、管理対象物９０の配置情報（ロケーション）が前回の登録から変更されたことを管理装置８０側で容易に且つ正確に把握することができるため、管理装置８０側で適切な対処を取りやすくなり、セキュリティ面でも有利となる。
【００９０】
また、本実施形態では、端末装置２において、所定の棚卸開始情報を入力する棚卸開始情報入力手段が設けられており、管理装置８０の通知手段は、棚卸開始情報入力手段によって所定の棚卸開始情報が入力された場合において両対応関係に差異がある場合に通知を行うように構成されている。このようにすると、ユーザが棚卸しをしようとする場合に通知を行うことができ、通知処理を通知が必要な時期に限定することができる。
【００９１】
［他の実施形態]
本発明は上記記述及び図面によって説明した実施形態に限定されるものではなく、例えば次のような実施形態も本発明の技術的範囲に含まれる。
【００９２】
上記実施形態では、管理装置８０が情報コード生成装置を兼ねる構成を例示したが、管理装置８０と情報コード生成装置とが別々の構成であってもよい。
【００９３】
また、上記実施形態で用いられる端末装置２において、対応情報送信手段によって対応情報を送信した後（例えば、Ｓ２４による送信後）、管理対象物９０の管理対象物記録コードＣ２がコード読取手段によって読み取られた否かを判断した場合に液晶表示器４６による所定情報の表示やブザー４４の鳴動などによって報知を行うようにしてもよい。例えば、Ｓ２１〜Ｓ２３の読み取りを行った後、Ｓ２４でそれら読取結果を送信した場合において、Ｓ２２で読み取られた管理対象物記録コードが再び読み取られたとき（重複読み取りが行われたとき）に上記報知を行うようにしてもよい。
報知の例はこれに限定されるものではなく、例えば読取順序を誤った場合に報知を行うようにしてもよい。具体的には、例えば、Ｓ２０の処理の後、ロケーション記録コードの読み取りよりも先に管理対象物記録コードが読み取られた場合に報知を行うようにしてもよい。或いは、Ｓ２１でロケーション記録コードが読み取られた後、Ｓ２２で管理対象物記録コードが読み取られていない場合においてＳ２３でＮｏに進む場合（上述した所定の終了条件が成立した場合）に報知を行うようにしてもよい。また、ロケーション記録コードが連続で読み取られた時に報知を行うようにしてもよい。
上記の例では、制御回路４０及び報知媒体（液晶表示器４６やブザー４４など）が報知手段の一例に相当する。このようにすると、読み取りの順序間違えなどの場合にユーザに知らせることができ、ユーザが適切な対処を取りやすくなる。
【符号の説明】
【００９４】
１…資産管理システム
２…端末装置
３５…メモリ（記憶手段）
４０…制御回路（コード読取手段、対応情報送信手段、報知手段、固有ＩＤ取得手段、
４２…操作キー（移動開始情報入力手段、設置開始情報入力手段、棚卸開始情報入力手段）
４４…ブザー（報知手段）
４６…液晶表示器（報知手段）
４８…無線通信部（対応情報送信手段）
８０…管理装置（情報コード生成装置）
８１…ＣＰＵ（通知手段
８５…記憶部（管理対象物登録手段、ロケーション登録手段、配置位置登録手段、ロケーション記録コード生成手段、管理対象物記録コード生成手段
９０…管理対象物
Ｃ１…ロケーション記録コード
Ｃ２…管理対象物記録コード
【図１】
0005454253.tif 000002
【図２】
0005454253.tif 000003
【図３】
0005454253.tif 000004
【図４】
0005454253.tif 000005
【図５】
0005454253.tif 000006
【図６】
0005454253.tif 000007
【図７】
0005454253.tif 000008
【図８】
0005454253.tif 000009
【図９】
0005454253.tif 000010
【図１０】
0005454253.tif 000011
【図１１】
0005454253.tif 000012
【図１２】
0005454253.tif 000013
【図１３】
0005454253.tif 000014
【図１４】
0005454253.tif 000015